(57)【特許請求の範囲】
【請求項１】
送信機と受信機を備える無線ＬＡＮシステムであって、
前記送信機は、前記受信機との間の無線通信に使用する帯域幅を示す帯域幅情報を無線により送信し、前記帯域幅情報を送信してから以後の前記受信機との間の無線通信を前記帯域幅情報で示される帯域幅で行う無線部を備え、
前記受信機は、前記送信機から無線により受信した帯域幅情報で示される帯域幅に、前記送信機との間の無線通信に使用する帯域幅を変更する帯域幅変更部を備え、
前記送信機は、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定部、をさらに備え、
前記無線部は、前記第１のキャリアセンス及び前記第２のキャリアセンスの実行の結果に基づいて使用可能であると判定された前記第１の帯域幅と前記第２の帯域幅を示す前記帯域幅情報を無線により送信し、
前記送信機及び前記受信機は、前記第１の帯域幅と前記第２の帯域幅の適用後のデータフレームの送達確認手順までが完了したら、前記送信機と前記受信機の間の無線通信に使用する帯域幅を前記第１の帯域幅に戻す、
無線ＬＡＮシステム。
【請求項２】
前記送信機は、データ送信の準備段階で前記帯域幅情報の送信を実行する、
請求項１に記載の無線ＬＡＮシステム。
【請求項３】
前記送信機は、データ送信の途中で帯域幅を変更する場合に、データ送信の途中で前記帯域幅情報の送信を実行する、
請求項１又は２のいずれか１項に記載の無線ＬＡＮシステム。
【請求項４】
前記送信機は、前記受信機毎に前記無線通信の性能を計測する通信性能計測部をさらに備え、前記性能の計測結果に基づいて、前記帯域幅情報をユニキャストで送信するか又はブロードキャストで送信するかを選択する、
請求項１から３のいずれか１項に記載の無線ＬＡＮシステム。
【請求項５】
無線ＬＡＮシステムの送信機であって、
前記無線ＬＡＮシステムの受信機との間の無線通信に使用する帯域幅を示す帯域幅情報を無線により送信し、前記帯域幅情報を送信してから以後の前記受信機との間の無線通信を前記帯域幅情報で示される帯域幅で行う無線部と、
前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定部とを備え、
前記無線部は、前記第１のキャリアセンス及び前記第２のキャリアセンスの実行の結果に基づいて使用可能であると判定された前記第１の帯域幅と前記第２の帯域幅を示す前記帯域幅情報を無線により送信し、
前記送信機は、前記第１の帯域幅と前記第２の帯域幅の適用後のデータフレームの送達確認手順までが完了したら、前記送信機と前記受信機の間の無線通信に使用する帯域幅を前記第１の帯域幅に戻す、
送信機。
【請求項６】
送信機と受信機を備える無線ＬＡＮシステムの無線通信方法であって、
前記送信機が、前記受信機との間の無線通信に使用する帯域幅を示す帯域幅情報を無線により送信し、前記帯域幅情報を送信してから以後の前記受信機との間の無線通信を前記帯域幅情報で示される帯域幅で行う無線通信ステップと、
前記受信機が、前記送信機から無線により受信した帯域幅情報で示される帯域幅に、前記送信機との間の無線通信に使用する帯域幅を変更する帯域幅変更ステップと、
前記送信機が、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定ステップと、
前記送信機が、前記第１のキャリアセンス及び前記第２のキャリアセンスの実行の結果に基づいて使用可能であると判定された前記第１の帯域幅と前記第２の帯域幅を示す前記帯域幅情報を無線により送信するステップと、
前記送信機及び前記受信機が、前記第１の帯域幅と前記第２の帯域幅の適用後のデータフレームの送達確認手順までが完了したら、前記送信機と前記受信機の間の無線通信に使用する帯域幅を前記第１の帯域幅に戻すステップと、
を含む無線通信方法。
【請求項７】
無線ＬＡＮシステムの送信機のコンピュータに、
前記無線ＬＡＮシステムの受信機との間の無線通信に使用する帯域幅を示す帯域幅情報を無線により送信し、前記帯域幅情報を送信してから以後の前記受信機との間の無線通信を前記帯域幅情報で示される帯域幅で行う無線通信ステップと、
前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定ステップと、を実行させるためのコンピュータプログラムであり、
前記無線通信ステップは、前記第１のキャリアセンス及び前記第２のキャリアセンスの実行の結果に基づいて使用可能であると判定された前記第１の帯域幅と前記第２の帯域幅を示す前記帯域幅情報を無線により送信し、
前記コンピュータに、
前記第１の帯域幅と前記第２の帯域幅の適用後のデータフレームの送達確認手順までが完了したら、前記送信機と前記受信機の間の無線通信に使用する帯域幅を前記第１の帯域幅に戻すステップ、
をさらに実行させるためのコンピュータプログラム。
【発明の詳細な説明】
【技術分野】
【０００１】
本発明は、無線通信システムの技術に関するものであり、特に無線ＬＡＮ（Local Area Network）システムの技術に適する。
【背景技術】
【０００２】
一般に無線ＬＡＮシステムは、個人が基地局装置（アクセスポイント（Access Point）：ＡＰ）や移動端末装置（端末）を自由に設置し運用することができることを特徴としている。このため、ＡＰや端末が送信する電波の無線周波数チャネルや送信タイミングは通信事業者によって管理されていない。したがって、異なる者が各々設置した無線ＬＡＮシステムが同じ無線周波数チャネルで通信をすることが想定されるため、複数の無線ＬＡＮシステムが同一の無線資源を共用するための仕組みが設けられている。例えば、自己の周辺に存在する他の無線ＬＡＮシステムとの協調動作は、ＣＳＭＡ／ＣＡ（Carrier Sense Multiple Access with Collision Avoidance）方式によって実現される。具体的には、通信を開始しようとする無線通信装置は、通信を開始する前に周辺の無線通信装置が電波を出していないかを確認し、電波が出ていなければ一定期間待った後にランダムな時間が経過した後で電波を送信する。一方、通信を開始しようとする無線通信装置は、周辺の無線通信装置が電波を出していれば、その電波の送信が完了した後に同様の待ち時間が経過した後で電波を送信する。このようにすることによって信号の衝突を防止する。
【０００３】
このような仕組みにも関わらず、２つの無線通信装置が互いの信号の到達範囲の外に存在する場合には、それらの無線通信装置は互いの通信状態を知ることができない。このため、通信相手に対して、２つの無線通信装置が同時に無線信号を送信することにより無線信号の衝突が発生することがある。無線信号の衝突によって通信誤りが発生すると、信号の再送が必要になることなどが通信性能の低下の要因になる。
【０００４】
また、無線ＬＡＮシステムの中には、複数の無線周波数チャネルを束ねて通信に使用することができるものがある。例えば、ＩＥＥＥ８０２．１１シリーズの無線ＬＡＮの通信規格のうちのＩＥＥＥ８０２．１１ａｃ規格の無線ＬＡＮシステムでは、無線周波数チャネルの基本帯域幅「２０ＭＨｚ」を４つ又は８つ束ねて使用することができる。複数の無線周波数チャネルを束ねて通信に使用すると、通信の高速化ができる利点がある一方で、複数の無線周波数チャネルに渡って電波が使用されていないことを確認しなければ無線信号を送信できないこと、また無線信号の衝突（電波干渉）の可能性が増えることなどによって通信性能の低下が起こりやすくなる。
【０００５】
従来、無線ＬＡＮシステムにおける電波干渉回避技術が、例えば特許文献１に記載されている。特許文献１の電波干渉回避技術では、複数の帯域幅の狭い無線周波数チャネルを束ねた広い帯域幅の無線周波数チャネルで通信相手と通信し、通信相手との間の通信品質の低下を検出した場合に、広い帯域幅の無線周波数チャネルの帯域内で、通信相手との送受信に使用中の無線周波数チャネルを、帯域幅の狭い無線周波数チャネルの１つに変更する。
【先行技術文献】
【特許文献】
【０００６】
【特許文献１】特開２００８−０７２５６３号公報
【発明の概要】
【発明が解決しようとする課題】
【０００７】
無線ＬＡＮシステムの無線周波数チャネルには、プライマリチャネルとセカンダリチャネルが設けられる場合がある。例えば、２０ＭＨｚの帯域幅の無線周波数チャネルを２つ束ねた４０ＭＨｚの帯域幅の無線周波数チャネルを通信相手との通信に使用する場合、一方の２０ＭＨｚの帯域幅の無線周波数チャネルを第１のチャネルであるプライマリチャネルと呼び、もう一方の２０ＭＨｚの帯域幅の無線周波数チャネルを第２のチャネルであるセカンダリチャネルと呼ぶ。無線通信装置間で交換される信号のうち管理用や制御用の信号は、プライマリチャネルで伝送される。したがって、４０ＭＨｚの帯域幅の無線周波数チャネルに非対応であって２０ＭＨｚの帯域幅の無線周波数チャネルのみに対応する無線通信装置であっても、プライマリチャネルによって、４０ＭＨｚの帯域幅の無線周波数チャネルを使用する無線通信装置と通信をすることができる。また、８０ＭＨｚや１６０ＭＨｚなどのより広帯域の無線周波数チャネルを使用する無線通信装置においても、広帯域の無線周波数チャネル内の１つの２０ＭＨｚの帯域幅の無線周波数チャネルをプライマリチャネルとして運用する。これにより、無線ＬＡＮシステムにおいて、２０ＭＨｚの帯域幅の無線周波数チャネルのみに対応する無線通信装置と、４０ＭＨｚ以上の広帯域の無線周波数チャネルにも対応する無線通信装置との間の互換性を保つことができる。
【０００８】
このため、例えば、最大４０ＭＨｚの帯域幅の無線周波数チャネルで運用する第１の無線ＬＡＮシステムと最大２０ＭＨｚの帯域幅の無線周波数チャネルで運用する第２の無線ＬＡＮシステムとが混在する場合、第２の無線ＬＡＮシステムは、第１の無線ＬＡＮシステムとの電波干渉を回避するために、第１の無線ＬＡＮシステムのプライマリチャネルを避けて第１の無線ＬＡＮシステムのセカンダリチャネルに、自己の無線周波数チャネルを設定することが多くなる。特に、無線ＬＡＮシステムの無線通信装置が高密度に設置される環境において第１の無線ＬＡＮシステムで使用中の無線周波数チャネルの他に未使用の無線周波数チャネルが存在しない場合に、第２の無線ＬＡＮシステムにおいてその傾向が強くなる。このような理由から、第１の無線ＬＡＮシステムの無線通信装置が、セカンダリチャネルにおける電波干渉の回避のために、通信相手との通信に使用する帯域幅を狭くしてプライマリチャネルのみに変更することが考えられる。
【０００９】
しかしながら、例えば図１０に示すように、第１の無線ＬＡＮシステムの基地局装置がセカンダリチャネルにおける電波干渉の回避のために端末装置との通信に使用する無線周波数チャネルをプライマリチャネルのみに変更しても、端末装置が当該無線周波数チャネルの変更を知らずにプライマリチャネルとセカンダリチャネルの両方を受信すると、端末装置においてセカンダリチャネルの受信信号がプライマリチャネルに対する干渉信号となってプライマリチャネルの信号受信に悪影響を及ぼす可能性があった。
【００１０】
本発明は、このような事情を考慮してなされたものであり、電波干渉の回避能力の向上を図ることができる、無線ＬＡＮシステム、送信機、無線通信方法及びコンピュータプログラムを提供することを課題とする。
【課題を解決するための手段】
【００１１】
（１）本発明の一態様は、送信機と受信機を備える無線ＬＡＮシステムであって、前記送信機は、前記受信機との間の無線通信に使用する帯域幅を示す帯域幅情報を無線により送信し、前記帯域幅情報を送信してから以後の前記受信機との間の無線通信を前記帯域幅情報で示される帯域幅で行う無線部を備え、前記受信機は、前記送信機から無線により受信した帯域幅情報で示される帯域幅に、前記送信機との間の無線通信に使用する帯域幅を変更する帯域幅変更部を備え、前記送信機は、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定部、をさらに備え、前記無線部は、前記第１のキャリアセンス及び前記第２のキャリアセンスの実行の結果に基づいて使用可能であると判定された前記第１の帯域幅と前記第２の帯域幅を示す前記帯域幅情報を無線により送信し、前記送信機及び前記受信機は、前記第１の帯域幅と前記第２の帯域幅の適用後のデータフレームの送達確認手順までが完了したら、前記送信機と前記受信機の間の無線通信に使用する帯域幅を前記第１の帯域幅に戻す、無線ＬＡＮシステムである。
（２）本発明の一態様は、上記（１）の無線ＬＡＮシステムにおいて、前記送信機は、データ送信の準備段階で前記帯域幅情報の送信を実行する、無線ＬＡＮシステムである。
（３）本発明の一態様は、上記（１）又は（２）のいずれかの無線ＬＡＮシステムにおいて、前記送信機は、データ送信の途中で帯域幅を変更する場合に、データ送信の途中で前記帯域幅情報の送信を実行する、無線ＬＡＮシステムである。
（４）本発明の一態様は、上記（１）から（３）のいずれかの無線ＬＡＮシステムにおいて、前記送信機は、前記受信機毎に前記無線通信の性能を計測する通信性能計測部をさらに備え、前記性能の計測結果に基づいて、前記帯域幅情報をユニキャストで送信するか又はブロードキャストで送信するかを選択する、無線ＬＡＮシステムである。
【００１２】
（５）本発明の一態様は、無線ＬＡＮシステムの送信機であって、前記無線ＬＡＮシステムの受信機との間の無線通信に使用する帯域幅を示す帯域幅情報を無線により送信し、前記帯域幅情報を送信してから以後の前記受信機との間の無線通信を前記帯域幅情報で示される帯域幅で行う無線部と、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定部とを備え、前記無線部は、前記第１のキャリアセンス及び前記第２のキャリアセンスの実行の結果に基づいて使用可能であると判定された前記第１の帯域幅と前記第２の帯域幅を示す前記帯域幅情報を無線により送信し、前記送信機は、前記第１の帯域幅と前記第２の帯域幅の適用後のデータフレームの送達確認手順までが完了したら、前記送信機と前記受信機の間の無線通信に使用する帯域幅を前記第１の帯域幅に戻す、送信機である。
【００１３】
（９）本発明の一態様は、無線ＬＡＮシステムの受信機であって、前記無線ＬＡＮシステムの送信機から無線により受信した帯域幅情報で示される帯域幅に、前記送信機との間の無線通信に使用する帯域幅を変更する帯域幅変更部を備える受信機である。
【００１４】
（６）本発明の一態様は、送信機と受信機を備える無線ＬＡＮシステムの無線通信方法であって、前記送信機が、前記受信機との間の無線通信に使用する帯域幅を示す帯域幅情報を無線により送信し、前記帯域幅情報を送信してから以後の前記受信機との間の無線通信を前記帯域幅情報で示される帯域幅で行う無線通信ステップと、前記受信機が、前記送信機から無線により受信した帯域幅情報で示される帯域幅に、前記送信機との間の無線通信に使用する帯域幅を変更する帯域幅変更ステップと、前記送信機が、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定ステップと、前記送信機が、前記第１のキャリアセンス及び前記第２のキャリアセンスの実行の結果に基づいて使用可能であると判定された前記第１の帯域幅と前記第２の帯域幅を示す前記帯域幅情報を無線により送信するステップと、前記送信機及び前記受信機が、前記第１の帯域幅と前記第２の帯域幅の適用後のデータフレームの送達確認手順までが完了したら、前記送信機と前記受信機の間の無線通信に使用する帯域幅を前記第１の帯域幅に戻すステップと、を含む無線通信方法である。
【００１５】
（７）本発明の一態様は、無線ＬＡＮシステムの送信機のコンピュータに、前記無線ＬＡＮシステムの受信機との間の無線通信に使用する帯域幅を示す帯域幅情報を無線により送信し、前記帯域幅情報を送信してから以後の前記受信機との間の無線通信を前記帯域幅情報で示される帯域幅で行う無線通信ステップと、前記受信機に送信した前記帯域幅情報で示される第１の帯域幅のみに対して第１のキャリアセンスを実行し、前記第１のキャリアセンスの実行結果に応じて、前記受信機との間の無線通信に使用する候補の帯域幅のうち前記第１の帯域幅以外の第２の帯域幅に対して第２のキャリアセンスを実行する使用可能帯域幅判定ステップと、を実行させるためのコンピュータプログラムであり、前記無線通信ステップは、前記第１のキャリアセンス及び前記第２のキャリアセンスの実行の結果に基づいて使用可能であると判定された前記第１の帯域幅と前記第２の帯域幅を示す前記帯域幅情報を無線により送信し、前記コンピュータに、前記第１の帯域幅と前記第２の帯域幅の適用後のデータフレームの送達確認手順までが完了したら、前記送信機と前記受信機の間の無線通信に使用する帯域幅を前記第１の帯域幅に戻すステップ、をさらに実行させるためのコンピュータプログラムである。
【発明の効果】
【００１６】
本発明によれば、電波干渉の回避能力の向上を図ることができるという効果が得られる。
【図面の簡単な説明】
【００１７】
【図１】第１実施形態に係る無線ＬＡＮシステム１を示す構成図である。
【図２】第１実施形態に係る基地局装置１０を示す構成図である。
【図３】第１実施形態に係る帯域幅情報を格納したＭＡＣフレームの構成例を示す図である。
【図４】第１実施形態に係る端末装置２０を示す構成図である。
【図５】第１実施形態に係る無線通信方法の説明図である。
【図６】第２実施形態に係る基地局装置１０を示す構成図である。
【図７】第２実施形態に係る無線通信方法の説明図である。
【図８】第２実施形態に係る無線通信方法の説明図である。
【図９】第３実施形態に係る基地局装置１０を示す構成図である。
【図１０】従来技術の説明図である。
【発明を実施するための形態】
【００１８】
以下、図面を参照し、本発明の実施形態について説明する。
【００１９】
［第１実施形態］
図１は、第１実施形態に係る無線ＬＡＮシステム１を示す構成図である。図１において、無線ＬＡＮシステム１は、１つの基地局装置１０と複数の端末装置２０を備える。基地局装置１０は、無線ＬＡＮのアクセスポイントとして機能する。基地局装置１０の無線ＬＡＮエリア内に存在する端末装置２０は、基地局装置１０を経由して、インターネット等の他の通信ネットワーク２に接続したり、又は同じ無線ＬＡＮエリア内に存在する他の端末装置２０と通信したりすることができる。
【００２０】
図２は、第１実施形態に係る基地局装置１０を示す構成図である。図２において、基地局装置１０は、無線部１０２とバンドパスフィルタ（band pass filter：ＢＰＦ、帯域通過フィルタ）１０３と変復調部１０４とＭＡＣ（Media Access Control）部１０５とバッファメモリ部１０６と通信性能計測部１０７と帯域幅決定部１０８と帯域幅情報生成部１０９を備える。
【００２１】
基地局装置１０が端末装置２０へデータを送信する場合、バッファメモリ部１０６は送信予定の送信データを一時保存する。ＭＡＣ部１０５は、バッファメモリ部１０６から順次、送信データを受け取り、受け取った送信データ、データ送信の宛先アドレス、制御情報及び誤り検出符号などを格納したＭＡＣフレームを生成する。変復調部１０４は、ＭＡＣ部１０５から受け取ったＭＡＣフレームに対して所定の無線変調処理を行い、無線変調信号を出力する。無線部１０２は、変復調部１０４から出力されてＢＰＦ＿１０３を通過した無線変調信号を受け取り、受け取った無線変調信号を所定の無線周波数の無線フレームに変換した後、アンテナ１０１を介して無線により送信する。なお、ＭＡＣ部１０５は、無線ＬＡＮシステム１の通信を管理したり又は制御したりするためのＭＡＣフレームを生成する。このＭＡＣフレームも同様にしてアンテナ１０１を介して無線により送信される。
【００２２】
基地局装置１０が端末装置２０からデータを受信する場合、無線部１０２は、アンテナ１０１により受信した無線フレームをベースバンド信号に変換して出力する。変復調部１０４は、無線部１０２から出力されてＢＰＦ＿１０３を通過したベースバンド信号を受け取り、受け取ったベースバンド信号に対して所定の無線復調処理を行い、無線復調信号を出力する。ＭＡＣ部１０５は、変復調部１０４から受け取った無線復調信号に対してＭＡＣフレームの検査を行い、検査に合格したＭＡＣフレームからデータを取得してバッファメモリ部１０６へ出力する。ＭＡＣ部１０５からバッファメモリ部１０６に出力されたデータは、バッファメモリ部１０６で一時保存され、バッファメモリ部１０６から受信データとして出力される。
【００２３】
通信性能計測部１０７は、基地局装置１０と端末装置２０間の通信の性能を示す通信性能データを計測する。通信性能計測部１０７は、基地局装置１０から端末装置２０へ送信した無線フレームの情報や、該端末装置２０へ送信した無線フレームに対して端末装置２０から受信した応答信号などの情報を使用して、通信性能データの計測を行う。通信性能計測部１０７は、通信性能データの計測に使用する情報を、変復調部１０４及びＭＡＣ部１０５から取得する。通信性能計測部１０７は、通信性能データとして、スループット、無線フレームの再送率又は無線フレームの送信機会の獲得率などを計測する。
【００２４】
基地局装置１０と端末装置２０間の通信で使用する無線周波数チャネルが周辺の他の無線ＬＡＮシステムで使用されていなければ、通信性能計測部１０７で計測される通信性能データは安定して良好な結果となる。しかし、周辺の他の無線ＬＡＮシステムが同じ無線周波数チャネルを使用していると、通信性能計測部１０７で計測される通信性能データは、無線フレームの衝突や再送、ＣＳＭＡ／ＣＡ（Carrier Sense Multiple Access with Collision Avoidance）方式による送信機会の獲得率の低下、送信待ち時間の増加などの影響により、良好な結果とはならない可能性がある。
【００２５】
通信性能計測部１０７は、計測結果の通信性能データを所定の閾値と比較することにより、通信性能の低下を判定する。通信性能計測部１０７は、計測結果の通信性能データが閾値より劣化した場合に、通信性能が低下したと判定する。通信性能計測部１０７は、通信性能の判定結果を帯域幅決定部１０８へ通知する。
【００２６】
通信性能計測部１０７によって通信性能が低下したと判定された場合、現在適用中の帯域幅が広いために電波干渉を受けている可能性がある。このため、帯域幅決定部１０８は、通信性能計測部１０７から通知された通信性能の判定結果が通信性能の低下である場合、基地局装置１０と端末装置２０間の通信に使用する無線周波数チャネルの帯域幅を狭める決定を行う。例えば、基地局装置１０と端末装置２０間の通信に８０ＭＨｚの帯域幅の無線周波数チャネルを使用している場合に、当該通信に使用する無線周波数チャネルを、４０ＭＨｚの帯域幅の無線周波数チャネルに変更すると決定する。又は、例えば、基地局装置１０と端末装置２０間の通信に４０ＭＨｚの帯域幅の無線周波数チャネルを使用している場合に、当該通信に使用する無線周波数チャネルを、２０ＭＨｚの帯域幅の無線周波数チャネルに変更すると決定する。帯域幅決定部１０８は、基地局装置１０と端末装置２０間の通信に使用する無線周波数チャネルの変更後の帯域幅を、ＢＰＦ＿１０３と変復調部１０４と帯域幅情報生成部１０９へ通知する。
【００２７】
ＢＰＦ＿１０３は、帯域幅決定部１０８から通知された変更後の帯域幅に従ってフィルタの通過帯域を変更する。変復調部１０４は、帯域幅決定部１０８から通知された変更後の帯域幅に従って、無線変調処理及び無線復調処理の帯域幅を変更する。
【００２８】
帯域幅情報生成部１０９は、帯域幅決定部１０８から通知された変更後の帯域幅を示す帯域幅情報を生成する。帯域幅情報生成部１０９は、生成した帯域幅情報をＭＡＣ部１０５へ出力する。ＭＡＣ部１０５は、帯域幅情報生成部１０９から受け取った帯域幅情報を格納したＭＡＣフレームを生成する。この帯域幅情報を格納したＭＡＣフレームは、上記のＭＡＣフレームと同様にアンテナ１０１を介して無線により送信される。
【００２９】
図３は、第１実施形態に係る帯域幅情報を格納したＭＡＣフレームの構成例を示す図である。図３に示すＭＡＣフレームにおいて、フレームボディにはインフォメーションエレメント（Information Element）として帯域幅情報を格納する。帯域幅情報の一例として、使用可能帯域幅とプライマリチャネル番号と運用中帯域幅の情報がある。図３の例では、帯域幅情報は、使用可能帯域幅「８０ＭＨｚ」とプライマリチャネル（プライマリＣＨ）番号「ＸＸ」と運用中帯域幅「２０ＭＨｚ」である。
【００３０】
また、帯域幅情報を格納したＭＡＣフレームにおいて、例えば、フレームタイプは「ビーコン（Beacon）」とし、宛先アドレスはブロードキャストとする。これにより、基地局装置１０の無線ＬＡＮエリア内に存在する複数の端末装置２０に対して、一斉に、帯域幅情報を送信することができる。
【００３１】
なお、帯域幅情報を格納したＭＡＣフレームを個々の端末装置２０に対してユニキャスト送信してもよい。ユニキャスト送信する場合、帯域幅情報を格納したＭＡＣフレームにおいて、フレームタイプは「帯域幅指示フレーム」とし、宛先アドレスは送信相手のアドレスとする。
【００３２】
また、基地局装置１０は、従来のビーコンフレームに帯域幅情報を格納して送信してもよい。
【００３３】
図４は、第１実施形態に係る端末装置２０を示す構成図である。図４において、端末装置２０は、無線部２０２とＢＰＦ＿２０３と変復調部２０４とＭＡＣ部２０５とバッファメモリ部２０６と帯域幅変更部２０７を備える。
【００３４】
端末装置２０が基地局装置１０へデータを送信する場合、バッファメモリ部２０６は送信予定の送信データを一時保存する。ＭＡＣ部２０５は、バッファメモリ部２０６から順次、送信データを受け取り、受け取った送信データ、データ送信の宛先アドレス、制御情報及び誤り検出符号などを格納したＭＡＣフレームを生成する。変復調部２０４は、ＭＡＣ部２０５から受け取ったＭＡＣフレームに対して所定の無線変調処理を行い、無線変調信号を出力する。無線部２０２は、変復調部２０４から出力されてＢＰＦ＿２０３を通過した無線変調信号を受け取り、受け取った無線変調信号を所定の無線周波数の無線フレームに変換した後、アンテナ２０１を介して無線により送信する。
【００３５】
端末装置２０が基地局装置１０からデータを受信する場合、無線部２０２は、アンテナ２０１により受信した無線フレームをベースバンド信号に変換して出力する。変復調部２０４は、無線部２０２から出力されてＢＰＦ＿２０３を通過したベースバンド信号を受け取り、受け取ったベースバンド信号に対して所定の無線復調処理を行い、無線復調信号を出力する。ＭＡＣ部２０５は、変復調部２０４から受け取った無線復調信号に対してＭＡＣフレームの検査を行う。ＭＡＣフレームの検査では、誤り検出符号や宛先アドレスなどの検査を行う。ＭＡＣ部１０５は、検査の結果が不合格のＭＡＣフレームを破棄する。ＭＡＣ部１０５は、検査に合格したＭＡＣフレームからデータを取得してバッファメモリ部２０６へ出力する。ＭＡＣ部２０５からバッファメモリ部２０６に出力されたデータは、バッファメモリ部２０６で一時保存され、バッファメモリ部２０６から受信データとして出力される。
【００３６】
ＭＡＣ部２０５は、検査に合格したＭＡＣフレームが帯域幅情報を格納する場合、該帯域幅情報を帯域幅変更部２０７へ出力する。帯域幅変更部２０７は、ＭＡＣ部２０５から受け取った帯域幅情報が示す帯域幅への変更を、ＢＰＦ＿２０３と変復調部２０４へ指示する。ＢＰＦ＿２０３は、帯域幅変更部２０７から指示された帯域幅に従ってフィルタの通過帯域を変更する。変復調部２０４は、帯域幅変更部２０７から指示された帯域幅に従って、無線変調処理及び無線復調処理の帯域幅を変更する。
【００３７】
図５は、第１実施形態に係る無線通信方法の説明図である。図５の例では、基地局装置１０は、端末装置２０との通信に、２０ＭＨｚの帯域幅のプライマリチャネルと２０ＭＨｚの帯域幅のセカンダリチャネルの合計４０ＭＨｚの帯域幅の無線周波数チャネルを使用している場合に、当該通信に使用する無線周波数チャネルを２０ＭＨｚの帯域幅のプライマリチャネルのみに変更すると決定する。基地局装置１０は、無線周波数チャネルの帯域幅の変更を通知する無線フレームを送信する。この無線フレームは、帯域幅情報を格納するＭＡＣフレームから生成されている。端末装置２０は、基地局装置１０から受信した無線フレームからＭＡＣフレームを取得し、取得したＭＡＣフレームのうち検査に合格したＭＡＣフレームから帯域幅情報を取得する。端末装置２０は、取得した帯域幅情報に従って、ＢＰＦ＿２０３及び変復調部２０４の帯域幅を変更する。これにより、端末装置２０のＢＰＦ＿２０３による受信フィルタは、２０ＭＨｚの帯域幅のプライマリチャネルの受信信号のみを通過する。したがって、端末装置２０において、セカンダリチャネルの受信信号はＢＰＦ＿２０３によってカットされるので、セカンダリチャネルの受信信号がプライマリチャネルに対する干渉信号となることを防止できる。
【００３８】
なお、上述の図５に示す無線通信方法では、端末装置２０は、基地局装置１０から受信した帯域幅情報に従って自己の受信帯域幅をプライマリチャネルのみに限定するまで、自身の受信帯域幅を変更せず、プライマリチャネルとセカンダリチャネルを合わせた４０ＭＨｚの帯域幅で帯域幅情報の受信を待ち受ける。このとき、基地局装置１０がプライマリチャネルとセカンダリチャネルを合わせた４０ＭＨｚの帯域幅で帯域幅情報を送信し、さらにセカンダリチャネルに電波干渉が存在すると、該帯域幅情報そのものが端末装置２０で受信できない可能性が有る。このため、基地局装置１０が帯域幅情報を常にプライマリチャネルの２０ＭＨｚの帯域幅のみで送信し、端末装置２０がプライマリチャネルの２０ＭＨｚの帯域幅のみで帯域幅情報の受信を待ち受けるようにしてもよい。また、端末装置２０がプライマリチャネルとセカンダリチャネルを合わせた４０ＭＨｚの帯域幅で帯域幅情報の受信を待ち受けている可能性が有ることを考慮し、基地局装置１０がプライマリチャネルで送信する帯域幅情報をセカンダリチャネルにコピーしてプライマリチャネルとセカンダリチャネルで各々同じタイミングに送信することも好ましい。
【００３９】
また、基地局装置１０は、データ送信の準備段階で帯域幅情報の送信を実行してもよい。また、基地局装置１０は、データ送信の途中で帯域幅を変更する場合に、データ送信の途中で帯域幅情報の送信を実行してもよい。
【００４０】
上述の第１実施形態によれば、基地局装置１０から端末装置２０へ帯域幅情報を送信することにより、基地局装置１０と端末装置２０が同期して帯域幅を変更することができる。これにより、端末装置２０の受信帯域を基地局装置１０の変更後の送信帯域に一致させて無線通信をすることができるので、端末装置２０が基地局装置１０の送信帯域以外の不要の帯域で電波干渉を受けることを防止でき、電波干渉の回避能力が向上するという効果が得られる。
【００４１】
［第２実施形態］
第２実施形態は、上述の第１実施形態とは基地局装置１０の構成が異なる。無線ＬＡＮシステム１及び端末装置２０の構成は、上述の図１及び図４と同様である。
【００４２】
図６は、第２実施形態に係る基地局装置１０を示す構成図である。図６において、図２の各部に対応する部分には同一の符号を付け、その説明を省略する。図６に示す基地局装置１０は、図２の構成に対してさらに使用可能帯域幅判定部１２０を備える。また、図６に示す基地局装置１０において、帯域幅決定部１０８ａは、図２の帯域幅決定部１０８の機能に加えてさらに、使用可能帯域幅判定部１２０の判定結果に基づいて帯域幅を決定する機能を有する。以下、第２実施形態において、第１実施形態と異なる部分を主に説明する。
【００４３】
使用可能帯域幅判定部１２０はキャリアセンス機能を有する。使用可能帯域幅判定部１２０は、基地局装置１０が端末装置２０との間の無線通信を開始する前に、キャリアセンスを実行する。キャリアセンスでは、少なくとも変復調部１０４で適用中の帯域幅で、基地局装置１０以外の他の無線通信装置が電波を出していないかを検査する。変復調部１０４で適用中の帯域幅は、基地局装置１０が端末装置２０に送信した帯域幅情報で示される帯域幅である。キャリアセンスにおける信号検出基準は公知の技術と同様でよい。
【００４４】
使用可能帯域幅判定部１２０は、キャリアセンスの実行結果に基づいて、基地局装置１０が端末装置２０との通信に使用することができる帯域幅である使用可能帯域幅を判定する。使用可能帯域幅判定部１２０は、使用可能帯域幅の判定結果を帯域幅決定部１０８ａへ通知する。なお、キャリアセンスの実行タイミングの一例として、基地局装置１０から端末装置２０への送信データを格納する無線フレームを送信するための準備段階として事前に実行してもよい。
【００４５】
帯域幅決定部１０８ａは、使用可能帯域幅判定部１２０による使用可能帯域幅の判定結果に基づいて、基地局装置１０と端末装置２０間の通信に使用する無線周波数チャネルの帯域幅を決定する。帯域幅決定部１０８ａは、使用可能帯域幅判定部１２０による使用可能帯域幅の判定結果が、通信性能計測部１０７による通信性能の判定結果に基づいて決定した現在適用中の帯域幅よりも広い帯域幅である場合に、基地局装置１０と端末装置２０間の通信に使用する無線周波数チャネルの帯域幅を現在適用中の帯域幅よりも広い帯域幅に変更すると決定する。帯域幅決定部１０８ａは、基地局装置１０と端末装置２０間の通信に使用する無線周波数チャネルの変更後の帯域幅を、ＢＰＦ＿１０３と変復調部１０４と帯域幅情報生成部１０９へ通知する。
【００４６】
ＢＰＦ＿１０３は、帯域幅決定部１０８ａから通知された変更後の帯域幅に従ってフィルタの通過帯域を変更する。変復調部１０４は、帯域幅決定部１０８ａから通知された変更後の帯域幅に従って、無線変調処理及び無線復調処理の帯域幅を変更する。帯域幅情報生成部１０９は、帯域幅決定部１０８ａから通知された変更後の帯域幅を示す帯域幅情報を生成し、生成した帯域幅情報をＭＡＣ部１０５へ出力する。以下、基地局装置１０と端末装置２０間の通信に使用する無線周波数チャネルの帯域幅を現在適用中の帯域幅よりも広い帯域幅に変更する場合の帯域幅情報を、説明の便宜上、拡張帯域幅情報と称する。
【００４７】
ＭＡＣ部１０５は、帯域幅情報生成部１０９から受け取った拡張帯域幅情報を格納したＭＡＣフレームを生成する。この拡張帯域幅情報を格納したＭＡＣフレームは、変復調部１０４とＢＰＦ＿１０３を介して無線部１０２に入力され、無線部１０２により無線フレームに変換されてからアンテナ１０１を介して無線により送信される。
【００４８】
基地局装置１０が拡張帯域幅情報を格納したＭＡＣフレームから生成した無線フレームを端末装置２０へ送信する時点では、端末装置２０はまだ変更前の狭い帯域幅で受信を行う。したがって、基地局装置１０は、拡張帯域幅情報を格納したＭＡＣフレームを送信する際には、変更前の帯域幅を適用する。このため、ＢＰＦ＿１０３と変復調部１０４は、拡張帯域幅情報を格納したＭＡＣフレームの送信処理後に、帯域幅決定部１０８ａから通知された変更後の帯域幅を適用する。なお、基地局装置１０の周辺の無線通信装置によってセカンダリチャネルが使用されることを抑止するために、基地局装置１０が、拡張帯域幅情報を格納したＭＡＣフレームを送信する際に拡張帯域幅情報をセカンダリチャネルにコピーしてプライマリチャネルと同じタイミングで送信してもよい。
【００４９】
図７及び図８を参照して第２実施形態に係る無線ＬＡＮシステム１の動作を説明する。図７及び図８は第２実施形態に係る無線通信方法の説明図である。
【００５０】
まず図７を参照して説明する。図７は、キャリアセンスの実行結果、現在適用中の帯域幅よりも広い帯域幅に変更することができる場合である。
【００５１】
（ステップＳ１０）基地局装置１０は、帯域幅決定部１０８ａが通信性能計測部１０７による通信性能の判定結果に基づいて２０ＭＨｚの帯域幅を端末装置２０間の通信に使用すると決定し、端末装置２０に対してＭＡＣフレームの帯域幅情報により運用中帯域幅「２０ＭＨｚ」を報知済みである。そして、基地局装置１０は、２０ＭＨｚの帯域幅のプライマリチャネル（プライマリＣＨ）のみで運用するモードで動作している。
【００５２】
基地局装置１０において、端末装置２０に対して送信予定の送信データがバッファメモリ部１０６に格納されたために、使用可能帯域幅判定部１２０が、プライマリＣＨを使用できるかを検査するためのキャリアセンスを開始する。検査の当初は、基地局装置１０の周辺に存在する他の無線通信装置がプライマリＣＨの周波数帯で送信を行なっていたために、プライマリＣＨが他の無線通信装置によって使用中であると判定された。その後、他の無線通信装置によるプライマリＣＨの周波数帯での送信が終了し、プライマリＣＨで他の無線通信装置から送信された信号が検出されなくなった。これにより、基地局装置１０の使用可能帯域幅判定部１２０はプライマリＣＨの空きを認識する。
【００５３】
（ステップＳ１１）基地局装置１０の使用可能帯域幅判定部１２０は、プライマリＣＨで他の無線通信装置から送信された信号が検出されなくなった時点から一定の期間Δｔ１において、プライマリＣＨに対してキャリアセンスを実行する。この時、セカンダリチャネル（セカンダリＣＨ）に対しては検査していないので、他の無線通信装置によるセカンダリＣＨの使用の状態は不明である。
【００５４】
一般には、無線ＬＡＮシステム１の全帯域幅に対してキャリアセンスを実行し、使用可能な帯域幅を調べる。しかし、ここでは、基地局装置１０と端末装置２０間の通信に使用するプライマリＣＨのみに対してキャリアセンスを実行し、プライマリＣＨが実際に使用できるかを調べる。もし、キャリアセンスの実行結果としてプライマリＣＨが使用できない場合には、基地局装置１０は無線フレームを端末装置２０へ送信できない。したがって、この段階では、プライマリＣＨのみをキャリアセンスにより検査すればよい。これにより、キャリアセンスの効率を向上させることができる。
【００５５】
ここでは、ステップＳ１１において、プライマリＣＨに対するキャリアセンスの実行の結果、期間Δｔ１において継続して、プライマリＣＨで他の無線通信装置から送信された信号が検出されなかった。
【００５６】
（ステップＳ１２）基地局装置１０の使用可能帯域幅判定部１２０は、期間Δｔ１において継続して、プライマリＣＨで他の無線通信装置から送信された信号が検出されなかった場合、次の一定の期間Δｔ２において、プライマリＣＨとセカンダリＣＨの両方に対してキャリアセンスを実行する。ここでは、ステップＳ１２において、プライマリＣＨとセカンダリＣＨの両方に対するキャリアセンスの実行の結果、期間Δｔ２において継続して、プライマリＣＨとセカンダリＣＨの両方で他の無線通信装置から送信された信号が検出されなかった。
【００５７】
（ステップＳ１３）基地局装置１０の使用可能帯域幅判定部１２０は、期間Δｔ２において継続して、プライマリＣＨとセカンダリＣＨの両方で他の無線通信装置から送信された信号が検出されなかった場合、プライマリＣＨの空きを認識した時点からの一定の期間「ＩＦＳ＋ＣＷ」が満了するまで、プライマリＣＨとセカンダリＣＨの両方に対するキャリアセンスを実行する。なお、ＩＦＳ（Inter Frame Space）はフレーム間の送信待ち時間である。ＣＷ（Contention Window）は、複数の送信機からのフレーム衝突を緩和するためのランダムな待ち時間である。ＩＦＳ及びＣＷの決定方法は公知の技術と同じでよい。
【００５８】
基地局装置１０の使用可能帯域幅判定部１２０は、期間「ＩＦＳ＋ＣＷ」が満了するまで実行したキャリアセンスの結果、他の無線通信装置から送信された信号が検出されなかった場合に、使用可能帯域幅の判定結果「４０ＭＨｚ」を帯域幅決定部１０８ａへ通知する。この通知を受けた帯域幅決定部１０８ａは、基地局装置１０と端末装置２０間の通信に使用する無線周波数チャネルの帯域幅を、現在適用中の帯域幅「２０ＭＨｚ」よりも広い帯域幅「４０ＭＨｚ」に変更すると決定する。帯域幅決定部１０８ａは、基地局装置１０と端末装置２０間の通信に使用する無線周波数チャネルの変更後の帯域幅「４０ＭＨｚ」を、ＢＰＦ＿１０３と変復調部１０４と帯域幅情報生成部１０９へ通知する。
【００５９】
帯域幅情報生成部１０９は、帯域幅決定部１０８ａから通知された変更後の帯域幅「４０ＭＨｚ」を示す拡張帯域幅情報を生成し、生成した拡張帯域幅情報をＭＡＣ部１０５へ出力する。この拡張帯域幅情報は、図３の例と同様にすると、使用可能帯域幅「８０ＭＨｚ」とプライマリＣＨ番号「ＸＸ」とセカンダリＣＨ番号「ＹＹ」と運用中帯域幅「４０ＭＨｚ」である。帯域幅情報生成部１０９は、生成した拡張帯域幅情報をＭＡＣ部１０５へ出力する。
【００６０】
ＭＡＣ部１０５は、帯域幅情報生成部１０９から受け取った拡張帯域幅情報を格納したＭＡＣフレームを生成する。このとき、ＭＡＣ部１０５は、プライマリＣＨで送信するＭＡＣフレームとセカンダリＣＨで送信するＭＡＣフレームを生成する。プライマリＣＨのＭＡＣフレームとセカンダリＣＨのＭＡＣフレームは同じ拡張帯域幅情報を有する。
【００６１】
同じ拡張帯域幅情報を有するプライマリＣＨのＭＡＣフレームとセカンダリＣＨのＭＡＣフレームは、変復調部１０４とＢＰＦ＿１０３を介して無線部１０２に入力され、無線部１０２により無線フレームに変換されてからアンテナ１０１を介して無線により送信される。当該プライマリＣＨのＭＡＣフレームと当該セカンダリＣＨのＭＡＣフレームの送信処理には、変更前の帯域幅「２０ＭＨｚ」を適用する。当該プライマリＣＨのＭＡＣフレームから生成された無線フレームと当該セカンダリＣＨのＭＡＣフレームから生成された無線フレームは、同じタイミングで送信される。ＢＰＦ＿１０３と変復調部１０４は、当該プライマリＣＨのＭＡＣフレームと当該セカンダリＣＨのＭＡＣフレームの送信処理後に、帯域幅決定部１０８ａから通知された変更後の帯域幅「４０ＭＨｚ」を適用する。
【００６２】
なお、拡張帯域幅情報を格納したＭＡＣフレームは、ブロードキャスト又はユニキャストで送信される。図７の例では、図３に例示されるユニキャストの場合として帯域指示フレームが使用されている。この帯域指示フレームは、変更前の帯域幅「２０ＭＨｚ」で送信処理されて、プライマリＣＨとセカンダリＣＨの各々で同じタイミングで送信される。
【００６３】
端末装置２０は、基地局装置１０からプライマリＣＨの無線フレームを受信し、受信したプライマリＣＨの無線フレームからＭＡＣフレームを取得し、取得したＭＡＣフレームのうち検査に合格したＭＡＣフレームから拡張帯域幅情報を取得する。端末装置２０は、取得した拡張帯域幅情報に従って、ＢＰＦ＿２０３及び変復調部２０４の帯域幅を、変更前の帯域幅「２０ＭＨｚ」から拡張帯域幅情報で示される帯域幅「４０ＭＨｚ」に変更する。
【００６４】
なお、基地局装置１０からセカンダリＣＨで送信された、拡張帯域幅情報を格納したＭＡＣフレームは、基地局装置１０の周辺の他の無線通信装置に対しての報知のためである。
【００６５】
基地局装置１０は、期間「ＩＦＳ＋ＣＷ」が満了するまでにキャリアセンスの結果として、他の無線通信装置から送信された信号が検出された場合には、拡張帯域幅情報を格納したＭＡＣフレームの送信を中止する。
【００６６】
（ステップＳ１４）基地局装置１０は、拡張帯域幅情報を格納したＭＡＣフレームを送信してから一定の期間「ＳＩＦＳ（Short IFS）」だけ経過した後に、プライマリＣＨとセカンダリＣＨの両方を使用した帯域幅「４０ＭＨｚ」で、送信データを格納するデータフレームから生成された無線フレームを送信する。ＳＩＦＳの決定方法は公知の技術と同じでよい。
【００６７】
端末装置２０は、プライマリＣＨとセカンダリＣＨの両方を使用した帯域幅「４０ＭＨｚ」で基地局装置１０から無線フレームを受信し、受信した無線フレームからデータフレームを取得する。端末装置２０は、取得したデータフレームのうちＭＡＣフレーム検査に合格したデータフレームから受信データを取得する。
【００６８】
なお、基地局装置１０及び端末装置２０は、データフレームの送達確認手順までが完了したら、基地局装置１０と端末装置２０間の通信に使用する無線周波数チャネルの帯域幅を、変更した帯域幅「４０ＭＨｚ」から変更前の帯域幅「２０ＭＨｚ」に戻してもよい。これは、電波環境が一時的に好転する場合の通信効率の向上策として特に有効である。変更前の帯域幅に戻す動作を説明する。基地局装置１０の帯域幅決定部１０８ａは、データフレームの応答確認が完了したら、基地局装置１０と端末装置２０間の通信に使用する無線周波数チャネルの帯域幅を、変更した帯域幅「４０ＭＨｚ」から変更前の帯域幅「２０ＭＨｚ」に戻すと決定する。帯域幅決定部１０８ａは、基地局装置１０と端末装置２０間の通信に使用する無線周波数チャネルの帯域幅「２０ＭＨｚ」を、ＢＰＦ＿１０３と変復調部１０４へ通知する。これにより、ＢＰＦ＿１０３と変復調部１０４は、帯域幅決定部１０８ａから通知された帯域幅「２０ＭＨｚ」を適用する。同様に、端末装置２０の帯域幅変更部２０７は、データフレームの確認応答が完了したら、基地局装置１０と端末装置２０間の通信に使用する無線周波数チャネルの帯域幅を、変更した帯域幅「４０ＭＨｚ」から変更前の帯域幅「２０ＭＨｚ」に戻すと決定する。帯域幅変更部２０７は、基地局装置１０と端末装置２０間の通信に使用する無線周波数チャネルの帯域幅「２０ＭＨｚ」を、ＢＰＦ＿２０３と変復調部２０４へ通知する。これにより、ＢＰＦ＿２０３と変復調部２０４は、帯域幅変更部２０７から通知された帯域幅「２０ＭＨｚ」を適用する。
【００６９】
また、基地局装置１０は、拡張帯域幅情報を格納したＭＡＣフレームをブロードキャスト又はユニキャストのいずれで送信するのかを、各端末装置２０の通信性能データに基づいて選択するようにしてもよい。この場合、通信性能計測部１０７は、端末装置２０毎に通信性能データを計測する。拡張帯域幅情報を格納したＭＡＣフレームをブロードキャストで送信すると、通信性能データが良くない端末装置２０も帯域幅を広くしてしまう。このため、通信性能データが良好な端末装置２０のみに宛ててユニキャストで、拡張帯域幅情報を格納したＭＡＣフレームを送信することは好ましい。
【００７０】
また、基地局装置１０は、ステップＳ１３等のデータ送信の準備段階で帯域幅情報の送信を実行してもよい。また、基地局装置１０は、ステップＳ１４以降のデータ送信の途中で帯域幅を変更する場合に、ステップＳ１４以降のデータ送信の途中で帯域幅情報の送信を実行してもよい。
【００７１】
次に図８を参照して説明する。図８は、キャリアセンスの実行結果、現在適用中の帯域幅よりも広い帯域幅に変更することができない場合である。図８において、図７の各ステップに対応する部分には同一の符号を付け、その説明を省略する。
【００７２】
ステップＳ１０において、図７と同様に、基地局装置１０は、端末装置２０に運用中帯域幅「２０ＭＨｚ」を報知済みであり、２０ＭＨｚの帯域幅のプライマリＣＨのみで運用するモードで動作している。基地局装置１０によるプライマリＣＨの検査の結果、検査の当初は他の無線通信装置がプライマリＣＨを使用中であったが、その後、他の無線通信装置によるプライマリＣＨの使用が終了し、基地局装置１０はプライマリＣＨの空きを認識した。
【００７３】
ステップＳ１１において、図７と同様に、基地局装置１０がプライマリＣＨに対してキャリアセンスを実行し、キャリアセンスの実行の結果、期間Δｔ１において継続して、プライマリＣＨで他の無線通信装置から送信された信号が検出されなかった。
【００７４】
（ステップＳ１２）図７と同様に、基地局装置１０の使用可能帯域幅判定部１２０は、期間Δｔ１において継続して、プライマリＣＨで他の無線通信装置から送信された信号が検出されなかった場合、次の期間Δｔ２において、プライマリＣＨとセカンダリＣＨの両方に対してキャリアセンスを実行する。但し、ここでは、図７とは異なり、ステップＳ１２において、プライマリＣＨとセカンダリＣＨの両方に対するキャリアセンスの実行の結果、期間Δｔ２において、セカンダリＣＨで他の無線通信装置から送信された信号が検出された。
【００７５】
（ステップＳ２０）基地局装置１０の使用可能帯域幅判定部１２０は、期間Δｔ２においてセカンダリＣＨで他の無線通信装置から送信された信号が検出された場合、キャリアセンスの対象をプライマリＣＨのみに縮退してキャリアセンスを実行する。
【００７６】
（ステップＳ２１）基地局装置１０の使用可能帯域幅判定部１２０は、期間Δｔ２においてセカンダリＣＨで他の無線通信装置から送信された信号が検出された場合、プライマリＣＨの空きを認識した時点からの期間「ＩＦＳ＋ＣＷ」が満了するまで、プライマリＣＨのみに対するキャリアセンスを実行する。
【００７７】
基地局装置１０の使用可能帯域幅判定部１２０は、期間「ＩＦＳ＋ＣＷ」が満了するまで実行したキャリアセンスの結果、プライマリＣＨで他の無線通信装置から送信された信号が検出されなかった場合に、使用可能帯域幅の判定結果「２０ＭＨｚ」を帯域幅決定部１０８ａへ通知する。この通知を受けた帯域幅決定部１０８ａは、基地局装置１０と端末装置２０間の通信に使用する無線周波数チャネルの帯域幅を、現在適用中の帯域幅「２０ＭＨｚ」のまま維持すると決定する。したがって、帯域幅は変更されない。
【００７８】
基地局装置１０は、期間「ＩＦＳ＋ＣＷ」が満了するまで実行したキャリアセンスの結果、プライマリＣＨで他の無線通信装置から送信された信号が検出されなかった場合に、プライマリＣＨのみを使用した帯域幅「２０ＭＨｚ」で、送信データを格納するデータフレームから生成された無線フレームを送信する。端末装置２０は、プライマリＣＨのみを使用した帯域幅「２０ＭＨｚ」で基地局装置１０から無線フレームを受信し、受信した無線フレームからデータフレームを取得する。端末装置２０は、取得したデータフレームのうちＭＡＣフレーム検査に合格したデータフレームから受信データを取得する。
【００７９】
基地局装置１０は、期間「ＩＦＳ＋ＣＷ」が満了するまでにキャリアセンスの結果として、プライマリＣＨで他の無線通信装置から送信された信号が検出された場合には、データフレームの送信を中止する。
【００８０】
上述の第２実施形態によれば、第１実施形態と同様に、基地局装置１０から端末装置２０へ帯域幅情報を送信することにより、基地局装置１０と端末装置２０が同期して帯域幅を変更することができる。これにより、端末装置２０の受信帯域を基地局装置１０の変更後の送信帯域に一致させて無線通信をすることができるので、端末装置２０が基地局装置１０の送信帯域以外の不要の帯域で電波干渉を受けることを防止でき、電波干渉の回避能力が向上するという効果が得られる。
【００８１】
また、基地局装置１０は、端末装置２０に送信した帯域幅情報で示される第１の帯域幅のプライマリＣＨのみに対して第１のキャリアセンスを実行し、第１のキャリアセンスの実行結果に応じて、端末装置２０との間の無線通信に使用する候補の帯域幅のうち第１の帯域幅以外の第２の帯域幅のセカンダリＣＨに対して第２のキャリアセンスを実行する。これにより、キャリアセンスの効率を向上させることができる。
【００８２】
また、基地局装置１０と端末装置２０が、帯域幅の変更前の第１の帯域幅のプライマリＣＨと帯域幅の拡張分の第２の帯域幅のセカンダリＣＨとの適用後のデータフレームの送達確認手順までが完了したら、基地局装置１０と端末装置２０の間の無線通信に使用する帯域幅を変更前の第１の帯域幅のプライマリＣＨに戻すことにより、電波環境が一時的に好転する場合の通信効率の向上を図ることができる。
効果が得られる。
【００８３】
また、基地局装置１０が、端末装置２０毎に無線通信の性能を計測し、無線通信の性能の計測結果に基づいて帯域幅情報をユニキャストで送信するか又はブロードキャストで送信するかを選択することにより、帯域幅の変更が適切な端末装置２０に対して帯域幅情報を送信し、帯域幅の変更が不適切な端末装置２０に対して帯域幅情報を送信しないことを図ることができる。
【００８４】
［第３実施形態］
第３実施形態は、第２実施形態の変形例である。図９は、第３実施形態に係る基地局装置１０を示す構成図である。図９において、図６の各部に対応する部分には同一の符号を付け、その説明を省略する。図９に示す基地局装置１０は、図６の構成に対してさらに、セカンダリチャネル（セカンダリＣＨ）受信部１３０を備える。セカンダリＣＨ受信部１３０は、ＢＰＦ＿１３１と復調部１３２を備える。ＢＰＦ＿１３１の通過帯域はセカンダリＣＨの帯域である。復調部１３２は、無線部１０２から出力されてＢＰＦ＿１３１を通過したベースバンド信号を受け取り、受け取ったベースバンド信号に対して所定の無線復調処理を行い、無線復調信号を使用可能帯域幅判定部１２０へ出力する。
【００８５】
上述した第２実施形態では、キャリアセンスによるプライマリＣＨとセカンダリＣＨの検査において、プライマリＣＨのみを検査したり又はプライマリＣＨとセカンダリＣＨの両方を検査したりするために、信号の受信帯域幅をプライマリＣＨのみにしたり又はプライマリＣＨとセカンダリＣＨの両方にしたりと動的に変化させた。本第３実施形態では、セカンダリＣＨの検査に専用の受信部としてセカンダリＣＨ受信部１３０を設ける。これにより、第３実施形態では、キャリアセンスによるプライマリＣＨとセカンダリＣＨの検査において、ＢＰＦ＿１０３及び変復調部１０４は、プライマリＣＨに専用の受信部として機能させる。したがって、第３実施形態では、キャリアセンスによるプライマリＣＨとセカンダリＣＨの検査において、ＢＰＦ＿１０３及び変復調部１０４の受信処理に適用する帯域幅は、プライマリＣＨの帯域幅にする。
【００８６】
第３実施形態に係る無線通信方法は上述の図７及び図８と同様である。なお、図７において、ステップＳ１４では、基地局装置１０はプライマリＣＨとセカンダリＣＨの両方を使用した帯域幅「４０ＭＨｚ」で端末装置２０と通信を行うので、ＢＰＦ＿１０３及び変復調部１０４に適用する帯域幅はプライマリＣＨとセカンダリＣＨの両方の帯域幅にする。
【００８７】
上述した各実施形態において、基地局装置１０は送信機の例である。また、端末装置２０は受信機の例である。
【００８８】
以上、本発明の実施形態について図面を参照して詳述してきたが、具体的な構成はこの実施形態に限られるものではなく、本発明の要旨を逸脱しない範囲の設計変更等も含まれる。
【００８９】
例えば、上述した実施形態は、例えばＩＥＥＥ８０２．１１シリーズの無線ＬＡＮの通信規格の無線ＬＡＮシステムなど、任意の無線ＬＡＮシステムに適用可能である。また、上述した実施形態は、無線ＬＡＮシステムの利用可能な帯域幅として、２０ＭＨｚ、４０ＭＨｚ、８０ＭＨｚ又は１６０ＭＨｚなど、任意の帯域幅に適用可能である。例えば、ＩＥＥＥ８０２．１１シリーズの無線ＬＡＮの通信規格のうちのＩＥＥＥ８０２．１１ａｃ規格の無線ＬＡＮシステムに対して、上述した実施形態を適用可能である。ＩＥＥＥ８０２．１１ａｃ規格の無線ＬＡＮシステムでは、無線周波数チャネルの基本帯域幅「２０ＭＨｚ」を４つ又は８つ束ねて使用することができる。
【００９０】
また、上述した基地局装置１０又は端末装置２０の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００９１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９２】
１…無線ＬＡＮシステム、１０…基地局装置、１０１，２０１…アンテナ、１０２，２０２…無線部、１０３，１３１，２０３…バンドパスフィルタ（ＢＰＦ）、１０４，２０４…変復調部、１０５，２０５…ＭＡＣ部、１０６，２０６…バッファメモリ部、１０７…通信性能計測部、１０８，１０８ａ…帯域幅決定部、１０９…帯域幅情報生成部、１３０…セカンダリチャネル受信部、１３２…復調部、２０…端末装置、２０７…帯域幅変更部
【図１】
0006484132.tif 000002
【図２】
0006484132.tif 000003
【図３】
0006484132.tif 000004
【図４】
0006484132.tif 000005
【図５】
0006484132.tif 000006
【図６】
0006484132.tif 000007
【図７】
0006484132.tif 000008
【図８】
0006484132.tif 000009
【図９】
0006484132.tif 000010
【図１０】
0006484132.tif 000011